【事件の表示】
　特許第３１１９２９４号「洗濯機用の風呂水吸水ポンプ」の請求項１に係る特許に対する特許異議の申立てについて、次のとおり決定する。
【結　論】
　訂正を認める。
　特許第３１１９２９４号の請求項１に係る特許を取り消す。
【理　由】
１．手続の経緯
　特許第３１１９２９４号の請求項１、２に係る発明は、平成６年１１月１１日に特許出願された特願平６−２７７３８５号の一部を平成８年６月１２日に新たな特許出願としたものであって、平成１２年１０月１３日にその特許権の設定登録がなされ、その後株式会社東芝から、その請求項１に係る発明の特許に対し特許異議の申立てがなされ、取消しの理由が通知され、その指定期間内である平成１４年２月２５日に訂正請求がなされたものである。
　
２．訂正の適否についての判断
（１）訂正の内容
訂正事項ａ
　特許請求の範囲の請求項１の記載について、「該モータにより回転するランナーと、吸込室と、」とあるのを、「該モータにより回転するランナーと、前記ランナーの外周を囲い且つ前記ランナーとの間隔が徐々に広がるような円弧を描く２個のボリュートにより構成されたランナー室と、吸込室と、」と訂正する。
訂正事項ｂ
　特許請求の範囲の請求項１の記載について、「前記吸水口は、ポンプ上面より高い位置で上向きに開口し、且つ」とあるのを、「前記吸水口は、ポンプ上面及び前記吐出口、前記呼び水口より高い位置で上向きに開口し、」と訂正する。
訂正事項ｃ
　特許請求の範囲の請求項１の記載について、「且つ前記風呂水吸水ホースのホース接続端をＯリングを介して着脱自在に装着するようにしてあり、」の後ろに、「かつ前記吸水口から下方へ縦方向に延び出口側が横方向に向きを変える略Ｌの字形の通路及び該通路の出口側に設けた前記逆止弁を介して前記吸込室に連通し、」を加える。
訂正事項ｄ
　明細書の段落【０００９】の記載について、「該モータ４３により回転するランナー４２と、吸込室４１ｄと、」とあるのを、「該モータ４３により回転するランナー４２と、前記ランナー４２の外周を囲いかつ前記ランナー４２との間隔が徐々に広がるような円弧を描く２個のボリュート４０ａ１，４０ａ２により構成されたランナー室と、吸込室４１ｄと、」と訂正する。
訂正事項ｅ
　明細書の段落【０００９】の記載について、「前記吸水口２６ａは、ポンプ上面より高い位置で上向きに開口し、且つ」とあるのを、「前記吸水口２６ａは、ポンプ上面及び前記吐出口４１ａ，前記呼び水口４１ｂより高い位置で上向きに開口し、」と訂正する。　
訂正事項ｆ
　明細書の段落【０００９】の記載について、「且つ前記風呂水吸水ホース２７のホース接続端をＯリング２８を介して着脱自在に装着するようにしてあり、」の後ろに、「かつ前記吸水口２６ａから下方へ縦方向に延び出口側が横方向に向きを変える略Ｌの字形の通路及び該通路の出口側に設けた前記逆止弁４６を介して前記吸込室４１ｄに連通し、」を加える。
　
（２）訂正の目的の適否、新規事項の有無及び拡張・変更の存否
　上記訂正事項ａは、ランナーを収容するランナー室の構造を限定するものであって、特許請求の範囲の減縮を目的とする明細書の訂正に該当する。そして、上記のランナー室の構造については、願書に添付された明細書の段落【００３３】の「図５は、ケーシングカバー４１の上部の一部を残して切欠き、且つ仕切り板４４を取り外した状態を図４の矢印Ｓ方向からみた正面図であり、ケーシング４０と一体に形成された上ボリュート４０ａ1，下ボリュート４０ａ2によりランナー室が構成され、そこにランナー４２が設けられる。」との記載、及び図５に示されているから、新規事項の追加に該当しない。
　上記訂正事項ｂは、吸水口の位置をポンプ上面に加えて吐出口及び呼び水口の高さとの関係で限定したものであって、特許請求の範囲の減縮を目的とする明細書の訂正に該当する。そして、吸水口の位置については、願書に添付された明細書の段落【０００９】の「吸水口２６ａは、ポンプ上面より高い位置で上向きに開口し」、「吐出口４１ａおよび前記呼び水口４１ｂは、前記気水分離室４０ｋの側壁から横向きに延びて形成され」との記載、及び図５に示されているから、新規事項の追加に該当しない。
　上記訂正事項ｃは、吸水口２６ａが吸込室４１ｄに接続される位置を限定するものであって、特許請求の範囲の減縮を目的とする明細書の訂正に該当する。そして、吸水口２６ａが吸込室４１ｄに接続される位置については、願書に添付された明細書の段落【０００９】の「前記吸水口２６ａから前記逆止弁４６を介して前記吸込室４１ｄに水が吸込まれ、前記吸込室４１ｄの水が前記気水分離室４０ｋを介して前記吐出口４１ａに至るように構成され、前記吸水口２６ａは、ポンプ上面より高い位置で上向きに開口し」との記載、同段落【００２３】の「風呂水吸水ポンプ２６の上面に設けた風呂水吸水口２６ａ」との記載、及び図５に示されているから、新規事項の追加に該当しない。
　上記訂正事項ｄ、ｅ、ｆは、上記訂正事項ａ，ｂ，ｃに伴って、発明の詳細な説明の欄の対応箇所を訂正するものであるから、明りょうでない記載の釈明を目的とした明細書の訂正に該当するものであり、新規事項の追加に該当しない。
　また、上記訂正事項ａ〜ｆは、いずれも、実質上特許請求の範囲を拡張又は変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、及び第２項の規定に適合するので、当該訂正を認める。
　
３．特許異議の申立てについての判断
（１）本件の請求項１に係る発明
　上記２．で示したように上記訂正が認められるから、本件の請求項１に係る発明（以下、「本件発明１」という。）は、上記訂正請求に係る訂正明細書の特許請求の範囲の請求項１に記載された次のとおりのものである。
　
「【請求項１】　洗濯機の上部後方のバックパネルの内側に配置される風呂水吸水ポンプであって、
　前記風呂水吸水ポンプは、モータと、該モータにより回転するランナーと、前記ランナーの外周を囲い且つ前記ランナーとの間隔が徐々に拡がるような円弧を描く２個のボリュートにより構成されたランナー室と、吸込室と、気水分離室と、逆止弁と、風呂水吸水ホースに接続するための吸水口と、ポンプ吐出管に接続するための吐出口と、ポンプ外部の給水電磁弁に通じる呼び水ホースに接続するための呼び水口とを備え、
　前記ランナーは、前記吸込室と前記モータとの間に位置し、該ランナーが回転することで、前記吸水口から前記逆止弁を介して前記吸込室に水が吸込まれ、前記吸込室の水が前記気水分離室を介して前記吐出口に至るように構成され、
　前記吸水口は、ポンプ上面及び前記吐出口，前記呼び水口より高い位置で上向きに開口し、前記風呂水吸水ホースのホース接続端をＯリングを介して着脱自在に装着するようにしてあり、かつ前記吸水口から下方へ縦方向に延び出口側が横方向に向きを変える略Ｌの字形の通路及び該通路の出口側に設けた前記逆止弁を介して前記吸込室に連通し、
　前記気水分離室は、その上部で前記吐出口および前記呼び水口と連通し、前記吐出口および前記呼び水口は、前記気水分離室の側壁から横向きに延びて形成され、その向き及び開口方向は前記モータと反対向きにしたことを特徴とする洗濯機用の風呂水吸水ポンプ。」
　
（２）引用刊行物に記載された発明
　当審で通知した取消しの理由で引用した刊行物１〜６には、それぞれ以下のような事項が記載されているものと認められる。
　
ア．刊行物１：特開平６−２３１９０号公報
ａ．「図１に示すように、本発明の家庭用自動洗濯機Ａは、洗濯槽１０と、洗濯用モータ１２と、水道からの水の供給を受けるための第一の給水管接続部１４と、水道からの水の供給を開始及び停止させるための電磁弁１６等を有している。又、本発明の家庭用自動洗濯機Ａは、浴槽Ｂからの水の供給を受けるための第の給水管接続部１８と、浴槽Ｂ内の水を吸い上げることができるポンプ手段２０と、前記洗濯用モータ１２、電磁弁１６及びポンプ手段２０を制御する制御手段２２とを内蔵している。」（第３頁左欄第１０〜１９行）
ｂ．「又、前記ポンプ手段２０は、第一の給水管接続部１４に接続された呼び水通路２８を有している。そして、前記制御手段２２は、前記ポンプ手段２０の始動時において当該ポンプ手段２０に呼び水を供給すべく、前記電磁弁１６若しくは呼び水通路２８に配置された他の電磁弁を開くものである。」（第３頁左欄第３７〜４３行）
　上記記載事項ａ、ｂ、及び第１図によれば、刊行物１には、「家庭用自動洗濯機Ａの内側に配置されるポンプ手段２０であって、前記ポンプ手段２０は、浴槽Ｂからの水の供給を受けるための第二の給水管接続部１８と、吐出口と、ポンプ外部の電磁弁１６に通じる呼び水通路２８に接続するための呼び水口とを備えた、家庭用自動洗濯機Ａ用ポンプ手段２０。」の発明（以下、「刊行物１記載の発明」という）が記載されているものと認められる。
　
イ．刊行物２：特開昭５７−１９２５９５号公報
ｃ．「第３図は本発明の基本的な技術思想を示す図である。同図（イ）において、２０はポンプで、（ロ）に示すように、圧力スイッチ７のＮＣ接点に電気的に接続されており、その吸込口２１は図示してないホースによって水源（浴槽）と結合され、吐出口２２には注水ホース８が取付けてある。（中略）第４図は水道による給水と、水圧のない水源による給水との、双方が可能な給水装置を備えた本発明の実施例で、同図（イ）に示すように第２図の電磁給水弁６による給水装置と、第３図のポンプ２０による給水装置の双方を備えている。８’はポンプ用注水管、９’はポンプ用注水口である。同図（ロ）において２３はタイマ５によって切換えが行なわれる切換スイッチ、２４、２５は使用者が給水源を選択する選択スイッチである。」（第２頁右上欄第１９行〜同頁右下欄第４行）
　上記記載事項ｃ、及び第３、４図の記載によれば、刊行物２には、「洗濯機の上部後方の操作板４の内側に、浴槽から吸水するポンプ２０を配置するとともに、注水ホース８に接続するための吐出口２２を設ける」技術が、記載されているものと認められる。
　
ウ．刊行物３：特開平５−９９１８６号公報
ｄ．「【実施例】以下本発明の一実施例を図面にもとづいて説明する。図１は本発明の一実施例の自吸式ポンプを示す縦断面図、図２は同自吸式ポンプの水抜き栓を緩めた場合を示す縦断面図である。図１において、２１は吸入口２２と吐出口２３を備えたポンプのケーシングで、分離板２４によって前室２５・後室２６に仕切られている。この分離板２４は、中央部に吸入穴２７と上部にリターン穴２８を備えている。２９はモーター３０によって回転する羽根車である。３１はケーシング２１の下部に備えられた凸状の排水ノズルで、先端部外径にオネジ３２を、中心部に排水孔３３をそれぞれ有し、根元部外径にはＯリング３４が取り付けられている。３５は水抜き栓で、排水ノズル３１のオネジ３２に嵌合するメネジ３６と、メネジ３６より径の小さい貫通孔３７を備え、メネジ３６と貫通孔３７の段差部にリブ３８で中空に保持するように平パッキン３９が嵌め込まれている。
【０００８】上記構成において動作を説明する。本自吸式ポンプは風呂の水を沸き上げる追い焚き装置（図示せず）などに組み込まれて水又は温水を循環させるもので、吸入口２２より流入した水は、前室２５から吸入穴２７を通って後室２６へ入り、羽根車２９の回転によって吐出口２３より搬出される。なお吸入口２２よりエアーが流入した場合は、前室２５の水は後室２６からリターン穴２８を通って再び前室２５へ循環し、この間エアーのみを吐出口２３から搬出させるもので、この作用によって低い水位の水も吸い上げるいわゆる自吸動作を行うことができるものである。
【０００９】これらの水の搬送動作を行うために前室２５及び後室２６に予め呼び水が必要となるが、この操作は水抜き栓３５を回転させ排水ノズル３１からねじを緩めて貫通孔３７より水を注入することにより行うことができる。又凍結などの恐れがあり呼び水を抜く必要がある時も、水抜き栓３５を排水ノズル３１から緩めて貫通孔３７より水を排出することにより行うことができるものである。」（第２頁右欄第１６行〜第３頁左欄第１行）
　上記記載事項ｄ、及び図１、２の記載によれば、刊行物３には、「風呂水吸水用の自吸式ポンプを、モーター３０と、該モーター３０により回転する羽根車２９と、前室２５と、後室２６とを備え、前記羽根車２９は、前記前室２５と前記モーター３０との間に位置し、該羽根車２９が回転することで、吸入口２２から前記前室２５に水が吸込まれ、前記前室２５の水が前記後室２６を介して吐出口２３に至るように構成するとともに、前記吸入口２２は、ポンプ上面より高い位置で上向きに開口し、かつ、前記気水分離室は、その上部で前記吐出口２３と連通するように構成する」技術（以下、「刊行物３記載の技術１」という。）、及び「ポンプに水を供給する部材の接続端をＯリング３４を介して着脱自在に装着する」技術（以下、「刊行物３記載の技術２」という。）が記載されているものと認められる。
　
エ．刊行物４：実願昭６１−２０３７３４号（実開昭６３−１０８５９０号）のマイクロフィルム
ｅ．「本考案は浴槽への給湯経路や追焚経路等に用いる自吸式ポンプに関するものである。」（明細書第１頁第１０〜１１行）
ｆ．「本考案は、羽根車１を設けたうず巻室２に吸込口３、吐出口４並びに排水口５を配設し、更に加えて呼水口６を設けたものである。（作用）以上の構成に於いて、呼水口６には予め呼水供給パイプ７を接続して、この呼水供給パイプ７からうず巻室２内に必要量の呼水を供給することにより、運転開始時から自吸力を発生させることができ、こうして吸込口３に接続した吸込側パイプ８から水を吸込んで、吐出口４を経て、これに接続した吐出側パイプ９へと吐出することができる。」（明細書第２頁第１０行〜第３頁第１行）
　上記記載事項ｅ、ｆ、及び第１、２図の記載によれば、刊行物４には、「風呂水吸水ポンプにおいて、吐出口４および呼水口６を、横向きに延びて形成し、その向き及び開口方向はモータ１６と反対向きにする」技術が、記載されているものと認められる。
　
カ．刊行物５：特開平６−１０１６８３号公報
ｇ．「【課題を解決するための手段】本発明は上記従来の問題点に鑑み案出したものであって、呼び水の給水および排水を外部から容易に行うことのできる自吸式ポンプユニットを提供せんことを目的とし、その要旨は、外装ケース内に自吸式ポンプを組み込んだポンプユニットにおいて、前記外装ケースには、前記自吸式ポンプのケーシング内へ呼び水を給水可能な給水口と、前記ケーシング内から呼び水を排水可能な排水口が設けられていることである。」（第２頁左欄第３２〜４０行）
ｈ．「図１は、自吸式ポンプを浴槽に接続した状態の概略構成図であり、（中略）自吸式ポンプ７を構成するケーシング１１の上部には、前記吸込管１０と吐出管１３の端部がそれぞれ接続され、またケーシング１１の底面には排水管１７が接続され、ケーシング１１の上部には３方継手１４を介し、給水管１５が接続されている。」（第２頁左欄第４９行〜同頁右欄第１４行）
　上記記載事項ｇ、ｈ、及び図１、２の記載によれば、刊行物５には、「風呂水吸水ポンプにおいて、気水分離室をその上部で吐出管１３および呼び水口に連通する」技術が、記載されているものと認められる。
　
キ．刊行物６：実願昭６２−３３４４４号（実開昭６３−１４０１９５号）のマイクロフィルム
ｉ．「キャップ９を外して呼び水口８から呼び水を内部ケーシング１３の上方まで注入した後、キャップ９を再び螺着する。続いて原動機を駆動させて駆動軸１６を回転させると、呼び水が羽根車１８の回転にともなう両羽根片１８ｂの作用によりうず形室１２の壁面１２ｂに沿って出口部１２ａへと送られ、出口部１２ａを経て気泡分離室４へ排出される。」（第７頁第８〜１５行）
　上記記載事項ｉ、及び第２図の記載によれば、刊行物６には、「気泡分離室（気水分離室と同義）をその上部で吐出口７および呼び水口に連通する」技術が、記載されているものと認められる。
　
（３）対比
　本件発明１と刊行物１記載の発明とを対比すると、後者の「家庭用自動洗濯機Ａの内側に配置されるポンプ手段２０」は前者の「洗濯機の内側に配置される風呂水吸水ポンプ」に相当し、後者の「浴槽Ｂからの水の供給を受けるための第二の給水管接続部１８」は前者の「風呂水吸水ホースに接続するための吸水口」に相当し、後者の「ポンプ外部の電磁弁１６に通じる呼び水通路２８に接続するための呼び水口」は前者の「ポンプ外部の給水電磁弁に通じる呼び水ホースに接続するための呼び水口」に相当する。
　してみると、両者は「洗濯機の内側に配置される風呂水吸水ポンプであって、前記風呂水吸水ポンプは、風呂水吸水ホースに接続するための吸水口と、吐出口と、ポンプ外部の給水電磁弁に通じる呼び水ホースに接続するための呼び水口とを備えた、洗濯機用の風呂水吸水ポンプ。」で一致し、以下の点で相違する。
　
ａ．相違点１
　本件発明１が、風呂水吸水ポンプを洗濯機の上部後方のバックパネルの内側に配置するとともに、ポンプ吐出管に接続するための吐出口を設けているのに対し、刊行物１記載の発明では、ポンプ手段２０を洗濯機Ａの内側に配置しているものの、上部後方のバックパネルの内側に配置しているかどうか明らかでない点。
ｂ．相違点２
　本件発明１が、風呂水吸水ポンプは、モータと、該モータにより回転するランナーと、吸込室と、気水分離室とを備え、前記ランナーは、前記吸込室と前記モータとの間に位置し、該ランナーが回転することで、前記吸水口から前記吸込室に水が吸込まれ、前記吸込室の水が前記気水分離室を介して前記吐出口に至るように構成されているのに対し、刊行物１記載の発明では、ポンプの構造については明らかでない点。
ｃ．相違点３
　本件発明１が、ランナーの外周を囲い且つ前記ランナーとの間隔が徐々に拡がるような円弧を描く２個のボリュートにより構成されたランナー室を有するのに対し、刊行物１記載の発明では、ランナー室の構造については明らかでない点。
ｄ．相違点４
　本件発明１では、吸水口は、ポンプ上面及び前記吐出口、前記呼び水口より高い位置で上向きに開口しているのに対し、刊行物１記載の発明では、吸水口とポンプ上面及び吐出口、呼び水口との位置関係については明らかでない点。
ｅ．相違点５
　本件発明１では、吸水口から下方へ縦方向に延び出口側が横方向に向きを変える略Ｌの字形の通路及び該通路の出口側に設けた前記逆止弁を介して前記吸込室に連通しているのに対し、刊行物１記載の発明では、吸水口から吸込室に連通する構造については明らかでない点。
ｆ．相違点６
　本件発明１では、気水分離室は、その上部で吐出口および呼び水口と連通しているのに対し、刊行物１記載の発明では、吐出口および呼び水口の位置が明らかでない点。
ｇ．相違点７
　本件発明１が、吐出口および呼び水口を、気水分離室の側壁から横向きに延びて形成し、その向き及び開口方向はモータと反対向きにしているのに対し、刊行物１記載の発明では、吐出口および呼び水口の向きは明らかでない点。
ｈ．相違点８
　本件発明１が、風呂水吸水ホースのホース接続端をＯリングを介して着脱自在に装着するようにしているのに対し、刊行物１記載の発明では、ホース接続端の構造については明らかでない点。
　
（４）判断
　上記相違点について検討する。
ａ．相違点１について
　刊行物２記載の技術における「操作板４」、「注水ホース８」は、それぞれ本件発明１における「バックパネル」、「ポンプ吐出管」というべきものであるから、刊行物２には、「洗濯機の上部後方のバックパネルの内側に、浴槽から吸水するポンプ２０を配置するとともに、ポンプ吐出管に接続するための吐出口２２を設ける」技術思想が示されていると認めることができる。
　そして、刊行物１記載の発明と刊行物２に記載される技術思想とは、いずれも洗濯機用の風呂水吸水ポンプに関するものである点で技術分野が共通しており、刊行物２に記載される技術思想を、刊行物１記載の発明に適用することによって、上記相違点１に係る事項を本件発明１のごとく構成することは、当業者が容易に想到し得るものである。
ｂ．相違点２について
　刊行物３記載の技術１における、「風呂水吸水用の自吸式ポンプ」、「モーター３０」、「羽根車２９」、「前室２５」、「後室２６」、「吐出口２３」、「吸入口２２」は、それぞれ本件発明１における「風呂水吸水ポンプ」、「モータ」、「ランナー」、「吸込室」、「気水分離室」、「吐出口」、「吸水口」というべきものであるから、刊行物３には、「風呂水吸水ポンプを、モータと、該モータにより回転するランナーと、吸込室と、気水分離室とを備え、前記ランナーは、前記吸込室と前記モータとの間に位置し、該ランナーが回転することで、吸水口から前記吸込室に水が吸込まれ、前記吸込室の水が前記気水分離室を介して吐出口に至るように構成する」技術思想が示されていると認めることができる。
　そして、刊行物１記載の発明と刊行物３記載の技術思想とは、いずれも風呂水吸水ポンプに関するものである点で技術分野が共通しており、刊行物３記載の技術思想を、刊行物１記載の発明に適用することによって、上記相違点２に係る事項を本件発明１のごとく構成することは、当業者が容易に想到し得るものである。
ｃ．相違点３について
　ランナーの外周を囲い且つ前記ランナーとの間隔が徐々に拡がるような円弧を描く２個のボリュートによりランナー室を構成することは、本件出願前に自吸式ポンプにおいて慣用手段（例えば、特開昭５９ー１２０７９７号公報、実公昭４４ー１５１６７号公報、実願昭５０ー１７８３５０号（実開昭５２ー８８７０１号）のマイクロフィルム参照）であり、上記相違点３に係る事項を本件発明１のごとく構成することは、当業者が設計において適宜行う程度のことである。
ｄ．相違点４について
　ポンプの吸水口をポンプ上面より高い位置で上向きに開口することは本件出願前に周知の技術（例えば、上記刊行物３、実公昭５０ー２８４０２号公報参照）であり、また、吐出口、呼び水口に関しては、刊行物４記載の技術では横方向（換言すれば、ポンプ上面より低い位置）であるように、それらの設置位置は、配管方向や、設置スペースに応じて柔軟に選択できる事項である。してみると、刊行物２に記載される技術思想を、刊行物１記載の発明に適用することによって、風呂水吸水ポンプを洗濯機の上部後方のバックパネルの内側に配置して、本件発明１の上記相違点１に係る事項のように構成する際に、吸水ホースの接続のし易さや、美観上、吐出及び呼び水用配管がバックパネルの内側に隠れるように配慮することは当業者が設計において通常行う程度のことであるので、その際に、上記相違点４に係る事項を本件発明１のごとく構成することは、当業者が設計において適宜行うことである。
ｅ．相違点５について
　ポンプにおいて、吸水口から下方へ縦方向に延び出口側が横方向に向きを変える略Ｌの字形の通路及び該通路の出口側に設けた逆止弁を介して吸込室に連通させることは本件出願前に周知の技術（例えば、実公昭４１ー４７６６号公報、実願昭５３ー５０６号（実開昭５４ー１０４５０１号）のマイクロフィルム参照）であり、上記相違点５に係る事項を本件発明１のごとく構成することは、当業者が設計において適宜行う程度のことである。
ｆ．相違点６について
  気水分離室を、その上部で吐出口および呼び水口に連通することは、刊行物５、６にも記載されるように本件出願前に周知の技術であり、上記相違点６に係る事項を本件発明１のごとく構成することは、当業者が設計において適宜行う程度のことである。
ｇ．相違点７について
　刊行物２、３に記載される技術思想を、刊行物１記載の発明に適用することによって、風呂水吸水ポンプを洗濯機の上部後方のバックパネルの内側に配置して、本件発明１の上記相違点１、２に係る事項のように構成する際に、美観等の見地から、吐出及び呼び水用配管がバックパネルの内側に隠れるように配慮することは当業者が設計において通常行う程度のことであるので、その際に、風呂水吸水ポンプに関するものである点で刊行物１〜３記載のものと技術分野が共通する、刊行物４に記載された、「吐出口および呼水口を、横向きに延びて形成し、その向き及び開口方向はモータと反対向きにする」技術を用いることによって、上記相違点７に係る事項を本件発明１のごとく構成することは、当業者が設計において適宜行うことである。
ｈ．相違点８について
　ホース接続端をＯリングを介して被接続側に着脱自在に装着することは、刊行物３記載の技術２にも示されるように、ホースの接続技術としては本件出願前において慣用手段であり、刊行物１記載の発明の風呂水吸水ホースのホース接続端に上記慣用手段を適用することによって、上記相違点８に係る事項を本件発明１のごとく構成することは、当業者が容易に想到し得るものである。
　
　してみると、刊行物１記載の発明に、刊行物２〜６記載の技術、上記慣用手段、及び上記周知の技術を適用して、本件発明１のように構成することは、当業者が容易になし得ることである。また、本件発明１は、上記構成を採ることによって格別の効果を奏しているものとも認められない。
　
（４）むすび
　以上のとおりであるから、本件発明１は特許法第２９条第２項の規定により特許を受けることができない。
　したがって、本件発明１についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年４月１６日（２００２．４．１６）
【訂正の要旨】
　（訂正の要旨）
（１）訂正事項ａ
　特許請求の範囲の請求項１の記載について、「該モータにより回転するランナーと、吸込室と、」とあるのを、特許請求の範囲の減縮を目的として、「該モータにより回転するランナーと、前記ランナーの外周を囲い且つ前記ランナーとの間隔が徐々に広がるような円弧を描く２個のボリュートにより構成されたランナー室と、吸込室と、」と訂正する。
　同請求項１の「前記吸水口は、ポンプ上面より高い位置で上向きに開口し、且つ」を、特許請求の範囲の減縮を目的として、「前記吸水口は、ポンプ上面及び前記吐出口、前記呼び水口より高い位置で上向きに開口し、」に訂正する。
　同請求項１の「且つ前記風呂水吸水ホースのホース接続端をＯリングを介して着脱自在に装着するようにしてあり、」の後ろに、特許請求の範囲の減縮を目的として、「かつ前記吸水口から下方へ縦方向に延び出口側が横方向に向きを変える略Ｌの字形の通路及び該通路の出口側に設けた前記逆止弁を介して前記吸込室に連通し、」を加える。
　（２）訂正事項ｂ
　上記訂正事項ａに伴って、発明の詳細な説明の記載を特許請求の範囲の記載に整合させるために、明瞭でない記載の釈明を目的として、願書に添付した明細書の段落【０００９】の記載について、「該モータ４３により回転するランナー４２と、吸込室４１ｄと、」とあるのを、「該モータ４３により回転するランナー４２と、前記ランナー４２の外周を囲いかつ前記ランナー４２との間隔が徐々に広がるような円弧を描く２個のボリュート４０ａ１，４０ａ２により構成されたランナー室と、吸込室４１ｄと、」と訂正する。
　同段落の記載について、「前記吸水口２６ａは、ポンプ上面より高い位置で上向きに開口し、且つ」を、「前記吸水口２６ａは、ポンプ上面及び前記吐出口４１ａ，前記呼び水口４１ｂより高い位置で上向きに開口し、」と訂正する。
　同段落の記載について、「且つ前記風呂水吸水ホース２７のホース接続端をＯリング２８を介して着脱自在に装着するようにしてあり、」の後ろに、「かつ前記吸水口２６ａから下方へ縦方向に延び出口側が横方向に向きを変える略Ｌの字形の通路及び該通路の出口側に設けた前記逆止弁４６を介して前記吸込室４１ｄに連通し、」を加える。
（５４）【発明の名称】
洗濯機用の風呂水吸水ポンプ
（５７）【特許請求の範囲】
　【請求項１】　洗濯機の上部後方のバックパネルの内側に配置される風呂水吸水ポンプであって、
　前記風呂水吸水ポンプは、モータと、該モータにより回転するランナーと、
前記ランナーの外周を囲い且つ前記ランナーとの間隔が徐々に拡がるような円弧を描く２個のボリュートにより構成されたランナー室と、
　前記ランナーは、前記吸込室と前記モータとの間に位置し、該ランナーが回転することで、前記吸水口から前記逆止弁を介して前記吸込室に水が吸込まれ、前記吸込室の水が前記気水分離室を介して前記吐出口に至るように構成され、
　前記吸水口は、ポンプ上面
及び前記吐出口，前記呼び水口より
、前
かつ前記吸水口から下方へ縦方向に延び出口側が横方向に向きを変える略Ｌの字形の通路及び該通路の出口側に設けた前記逆止弁を介して前記吸込室に連通し、
　前記気水分離室は、その上部で前記吐出口および前記呼び水口と連通し、前記吐出口および前記呼び水口は、前記気水分離室の側壁から横向きに延びて形成され、その向き及び開口方向は前記モータと反対向きにしたことを特徴とする洗濯機用の風呂水吸水ポンプ。
　【請求項２】　洗濯機の上部後方のバックパネルの内側に配置される風呂水吸水ポンプであって、
　前記風呂水吸水ポンプは、本体がケーシングとケーシングカバーとで構成され、
　前記ケーシングの内部に、モータと、該モータにより回転するランナーとが収納され、且つ、ランナー室と、気水分離室の一部とが形成され、
　前記ケーシングカバーの内部に、前記気水分離室の残りの部分と、吸込室とが形成され、その吸込室に逆止弁が収納され、
　前記ケーシングカバーに、風呂水吸水ホースに接続するための吸水口と、ポンプ吐出管に接続するための吐出口と、ポンプ外部の給水電磁弁に通じる呼び水ホースに接続するための呼び水口とが一体に形成され、
　前記ランナーは、前記吸込室と前記モータとの間に位置し、該ランナーが回転することで、前記吸水口から前記逆止弁を介して前記吸込室に水が吸込まれ、前記吸込室の水が前記気水分離室を介して前記吐出口に至るように構成され、
　前記吸水口は、ポンプ上面より高い位置で上向きに開口し、且つ前記風呂水吸水ホースをＯリングを介して着脱自在に装着するようにしてあり、
　前記吐出口および前記呼び水口は、前記気水分離室の側壁上部で該気水分離室に連通し、その気水分離室の側壁から横向きに延びて形成され、その向き及び開口方向は前記モータと反対向きにしたことを特徴とする洗濯機用の風呂水吸水ポンプ。
【発明の詳細な説明】
　【０００１】
　【産業上の利用分野】
　本発明は、吸水ポンプ、更に詳細には自吸式吸水ポンプの構造に関し、特に洗濯機に内蔵される風呂水吸水ポンプに関する。
　【０００２】
　【従来の技術】
　自吸式吸水ポンプについては従来から種々の構造がとられている。
　【０００３】
　なお、洗濯機に風呂水等を給水するための吸水ポンプを内蔵し、このポンプを介して浴槽内の残り湯を洗濯槽内に供給する先行技術としては、例えば特開昭５７−１１７８９４号，特開昭５７−１１７８９５号、および特開平６−２３１９０号公報等を挙げることができる。
　【０００４】
　【発明が解決しようとする課題】
　洗濯機にポンプを内蔵する場合、運転開始時には、ポンプと浴槽間を連通する吸水ホース内は空気で満たされており、この空気を完全に排出するための自吸運転が必要となる。ホース内の空気が完全に無くなるまでの時間（自吸時間）と定常運転時の流量特性は、反比例の関係がある。
　【０００５】
　即ち、ランナーの吐出側に設けた気水分離室からランナーの吸い込み側に還流させる水の量を多くする程自吸時間は短縮できるが、この還流水は、定常運転時においては、吐出水量を少なくすることになり、流量特性を損なうものである。それ故、この種ポンプとしては、自吸時間と流量特性のバランスがとれたコンパクトで収納性のよいものが要求されている。
　【０００６】
　更に、洗濯機に風呂水吸水ポンプを内蔵するためには、耐湿性を考慮し、モータを密閉構造とする必要があるため、モータの温度上昇が問題となる。また、高湿環境の中で、万一モータの絶縁が低下しても、使用者が感電しない構造が要求される。
　【０００７】
　なお、前掲の特開平６−２３１９０号公報に呼び水タンクを不要とした風呂水吸水ポンプ付の洗濯機が提案されているが具体的構造の開示は無い。
　【０００８】
　本発明の目的とするところは、洗濯機に内蔵される吸水ポンプの構造において、従来品に比べてコンパクトで、収納性が良く、コストの低減を図ることができ、しかもポンプの自吸性能，流量特性のバランスも良い吸水ポンプを提供することにある。
　【０００９】
　【課題を解決するための手段】
　本発明は、上記目的を達成するために、基本的には次のように構成される（なお、構成要素に付された符号は、実施例に説明した図面のものを引用した）。
　すなわち、洗濯機の上部後方のバックパネル２５の内側に配置される風呂水吸水ポンプ２６であって、
　前記風呂水吸水ポンプ２６は、モータ４３と、該モータ４３により回転するランナー４２と、
前記ランナー４２の外周を囲い且つランナー４２との間隔が徐々に拡がるような円弧を描く２個のボリュート４０ａ１，４０ａ２により構成されたランナー室と、
　前記ランナー４２は、前記吸込室４１ｄと前記モータ４３との間に位置し、該ランナー４２が回転することで、前記吸水口２６ａから前記逆止弁４６を介して前記吸込室４１ｄに水が吸込まれ、前記吸込室４１ｄの水が前記気水分離室４０ｋを介して前記吐出口４１ａに至るように構成され、
　前記吸水口２６ａは、ポンプ上面
及び前記吐出口４１ａ，前記呼び水口４１ｂより
、前
かつ前記吸水口２６ａから下方へ縦方向に延び出口側が横方向に向きを変える略Ｌの字形の通路及び該通路の出口側に設けた前記逆止弁４６を介して前記吸込室４１ｄに連通し、
　前記気水分離室４０は、その上部で前記吐出口４１ａおよび前記呼び水口４１ｂと連通し、前記吐出口４１ａおよび前記呼び水口４１ｂは、前記気水分離室４０ｋの側壁から横向きに延びて形成され、その向き及び開口方向は前記モータ４３と反対向きにしたことを特徴とする。
　また、上記の一例として、次のような構成を提案する。
　例えば、前記風呂水吸水ポンプ２６は、外側がケーシング４０とケーシングカバー４１とで構成され、
　前記ケーシング４０の内部に、前記モータ４３と、前記ランナー４２とが収納され、且つ、ランナー室（４０ａ１，４０ａ２）と、気水分離室４０ｋの一部とが形成され、
　前記ケーシングカバー４１の内部に、前記気水分離室４０ｋの残りの部分と、吸込室４１ｄとが形成され、その吸込室４１ｄに逆止弁４６が収納され、
　前記ケーシングカバー４１に、前記吸水口２６ａと、前記吐出口４１ａと、前記呼び水口４１ｂとが一体に形成された構造とする。
　【００１０】
　【作用】
　このような構成によれば、風呂水給水に際しては、呼び水口４１ｄを介して風呂水吸水ポンプ内部に給水電磁弁３１からの呼び水（水道水）が吸水され、その後にモータ４３によりランナー４２が駆動してポンプの自吸運転が行われる。
　また、構造的には、洗濯機の上部後方のバックパネルの内側に自吸式の風呂水吸水ポンプをコンパクトで収納性が良く配置し得るものとなり、そのため、コストの低減にもつながり、しかもポンプの自吸性能，流量特性のバランスも良くなる。
　【００１１】
　【実施例】
　以下、本発明を、図面に示す一実施例に基づいて説明すると、図１において、１は洗濯機のトップカバー、２は洗濯機の運転を制御するコントローラである。コントローラ２は、トップカバー１の前方に内蔵され、タイマー機能を備えたマイクロコンピュータ等で構成されている。
　【００１２】
　３は洗濯機の運転内容を作業者が外部から指示するメンブレンスイッチである。
　【００１３】
　４は蓋で、支点５を軸にして上方に開き洗濯ものを槽内に投入する。
　【００１４】
　６は洗濯物投入口、７は洗濯兼脱水槽（以下、洗濯槽と略称する）８と外槽９との間に洗濯物が落下するのを防止するカバーで、外槽９の上部に設けられている。
　【００１５】
　１０は洗濯槽８の壁面に穿設された脱水孔である。
　【００１６】
　１１はバランスリングで、洗濯槽８の上端に固着され、脱水運転時に洗濯槽８の振動を低減し、槽８の回転を円滑に行う。
　【００１７】
　１２は吊り棒で、外枠２１の四隅部から下方に延び、バネ１３を介して外槽９を懸垂する。
　【００１８】
　１４は撹拌翼で、洗濯槽８の底部中央に回転可能に設置され、洗濯及び濯ぎ時には、短い周期で正逆転する。
　【００１９】
　１５は撹拌翼１４及び洗濯槽８を駆動するモータで、モータ１５の動力をモータプーリ１６，ベルト１７，従動プーリ１８，クラッチ・減速部１９を介して、洗濯，濯ぎ時には撹拌翼１４を、また脱水時には洗濯槽８と撹拌翼１４とを一緒に駆動する。
　【００２０】
　２０は外枠２１の下部に設けた脚部、２２は外槽９の底部に設けた排水孔で、排水孔２２の下流側には、コントローラ２からの指令で開閉する排水電磁弁２３と排水ホース２４とを有する。
　【００２１】
　２５はバックパネルで、後述の風呂水吸水ポンプ２６，給水電磁弁３１等がここに収納されている。
　【００２２】
　２６は抗菌剤入りの合成樹脂でケーシングを成形した風呂水吸水ポンプで、トップカバー１のバックパネル部に内蔵されている。
　【００２３】
　２７は抗菌剤入りの風呂水吸水ホースで、その接続端はＯリング２８を介して風呂水吸水ポンプ２６の上面に設けた風呂水吸水口２６ａに着脱自在に装着される。
　【００２４】
　図２は、バックパネル２５を取り除いてその内部構造を示す図であり、１ａはトップカバー１に設けた、水道水を洗濯槽内に供給する注水口と風呂水供給の吸水口とを共用化した水道水注水口兼風呂水吸水口で、この水道水注水口兼風呂水吸水口１ａからはソフナーも投入される。
　【００２５】
　２６ｂはポンプの吐出管、２９は蓋スイッチ、３０は水道水蛇口に接続したホース、３１は水道水を洗濯槽８内に供給する給水電磁弁である。給水電磁弁３１の吐出口３１ａから吐出された水の一部は、図３に示すように呼び水供給口３３の壁に当たり、呼び水ホース３４を介してポンプ２６の気水分離室４０ｋに導かれるようになっている。
　【００２６】
　図４は、風呂水吸水ポンプ２６の内部構造を示すもので、２６ａは、ケーシングカバー４１と一体に形成された吸水口であり、ホース２７がここに接続される。
　【００２７】
　ケーシングカバー４１には、逆止弁４６を収納する吸込室４１ｄと仕切り壁４１ｃとが一体に形成されている。
　【００２８】
　ケーシング４０には、モータ４３を保持する円筒部４０ｍと後述のポンプランナー室とメカニカルシール４８及びカップリング４５を収納する室と気水分離室４０ｋの一部と冷却用通水路４０ｅとが一体に設けられている。
　【００２９】
　更に、ケーシング４０には、メカニカルシール４８からの漏水を排出する水抜き穴４０ｆ，カップリング４５並びにモータ４３の周辺に発生した蒸気を排出する蒸気抜き穴４０ｇ，４０ｈが設けられている。
　【００３０】
　ケーシング４０とケーシングカバー４１の間に吸い込み口を有する仕切り板４４が挾み込れて固定されている。
　【００３１】
　モータシャフト４３ａに絶縁材料からなるカップリング４５を介してランナーシャフト４９が接続される。カップリング４５には、そのほぼ中央部に環状の突起が形成されシール４８から漏洩した水がシャフト４３ａに沿ってモータ方向に移動するのをこの突起により防止する。
　【００３２】
　４７は、ケーシング４０とケーシングカバー４１の接合面をシールするパッキングである。
　【００３３】
　図５は、ケーシングカバー４１の上部の一部を残して切欠き、且つ仕切り板４４を取り外した状態を図４の矢印Ｓ方向からみた正面図であり、ケーシング４０と一体に形成された上ボリュート４０ａ１，下ボリュート４０ａ２によりランナー室が構成され、そこにランナー４２が設けられる。
　【００３４】
　４０ｂ１及び４０ｂ２はそれぞれ上ボリュート及び下ボリュートの途中からランナー４２の方向に突出した分離壁であり、ランナーの回転方向で分離壁４０ｂ１及び４０ｂ２に近接した位置にボリュートの内外を連通する戻り水穴４０ｃ１及び４０ｃ２が設けられる。
　【００３５】
　下ボリュート４０ａ２の上端は水平方向に外側に向かって延長され気泡防止リブ４０ｄを構成している。
　【００３６】
　ランナー４２の吸い込み口を取り囲んでランナーの平面部４２ｂよりも突出した環状の突起４２ａが形成され、図４において、突起４２ａと仕切り板４４との間隙ｍは、１〜３ｍｍとし、平面部４２ｂと仕切り板４４との間隙は０．６〜１．２ｍｍに設定している。
　【００３７】
　ランナー４２がＰ方向に回転すると、ランナー４２で加圧された水は、上ボリュート及び下ボリュートに沿って排出室４０ｉへ吐出され、吐出室の上部に形成された気水分離室４０ｋに至る。
　【００３８】
　気水分離室４０ｋには、図６に見られるように吐出ホース２６ｂが接続される吐出口４１ａと呼び水ホース３４が接続される呼び水口４１ｂが連通している。
　給水ホース２７の先端を浴槽に挿入し、洗濯機の電源スイッチを「入」にして、風呂水コーススタートボタンを押すと、１５秒間給水電磁弁３１に通電され、水道水が給水される。
　【００３９】
　電磁弁３１の吐出口３１ａからでた水は、呼び水供給口３３の壁に当たり、呼び水ホース３４を通してケーシングカバー４１の呼び水口４１ｂから風呂水吸水ポンプ２６の中に呼び水として供給される。１５秒経過すると給水電磁弁３１の通電が停止し、風呂水吸水ポンプ２６へ通電される。モータ４３が回転すると、モータシャフト４３ａ，カップリング４５，ランナーシャフト４９を介して、ランナー４２がＰ方向に回転する。
　【００４０】
　ランナー４２の回転により吸込室４１ｄは負圧となり、逆止弁４６を開いて吸水口２６ａに接続された吸水ホース２７内の空気を吸い込み、空気と水の混合したものを排出室４０ｉへ送り出す。この時ランナー４２内に吸い込まれた空気は、分離壁４０ｂ１及び４０ｂ２，戻り水穴４０ｃ１及び４０ｃ２，気泡防止リブ４０ｄの効果により、短時間で空気と水を分離する構造としている。
　【００４１】
　自吸運転中ランナー４２から吐出された水には多量の空気を含んだ気水混合体となっているが、排出室４０ｉに至ると流速が比重の差によって空気は分離室４０ｋの上部に至り、水は排出室４０ｉの下方に溜る。ランナーの回転により分離壁４０ｂ１及び４０ｂ２の下流側の圧力が低下するので、排出室内の水が戻り水穴４０ｃ１及び４０ｃ２を通ってボリュートの内側に流れ込み、戻り水穴からボリュートの内側に流入した水は、間隙ｍ，ｎを通ってランナーの吸い込み側に至り空気を一緒に巻き込んでランナーにより再び加圧されて排出室に吐出される。
　【００４２】
　このような動作を繰り返すことにより、ホース２７内の空気をポンプの吐出側に移動させてホース内が水で満たされると定常の給水運転に移行する。
　【００４３】
　上ボリュート４０ｂ１から吐出された流体は、旋回方向の成分を含み空気を排出室４０ｉの下方に巻き込む恐れがあるため一方のボリュート４０ｂ２の上端を延長して気泡防止リブ４０ｄを構成し、空気の下方への巻き込みを少なくしている。
　【００４４】
　また、自吸運転中、気水分離した水の還流量を多くする程自吸性能が良くなるが、定常運転時のポンプ性能を低下させるので、両方の性能のバランスから間隙ｍ，ｎには、最適値が存在する。
　【００４５】
　本発明者等の実験結果によれば、間隙ｍは、１〜３ｍｍ、間隙ｎは、０．６〜１．２ｍｍに設定すると好ましい性能が得られた。
　【００４６】
　気水分離室４０ｋに連通して、冷却用通水路４０ｅが設けられているため吸水された風呂水が冷却用通水路４０ｅを循環し、モータを冷却するとともに、モータの騒音を吸収している。
　【００４７】
　吸込室４１ｄと排出室４０ｉを分離する仕切り板４４のリブ４４ａは、ケーシングカバー４１の気水分離室形成壁４１ｃとはラビリンス構造で取り付けられている。
　【００４８】
　定常運転になると吸水された風呂水は、ランナー４２を介して排出室４０ｉに送られ、排出室４０ｉに送られた風呂水は、気水分離室４０ｋ，吐出ホース２６ｂを介して洗濯槽８内に供給される。
　【００４９】
　給水が完了すると、洗濯，濯ぎ動作が行われるが、これは、従来の洗濯機と変わるところは無い。
　【００５０】
　【発明の効果】
　本発明によれば、洗濯機に内蔵される吸水ポンプの構造において、従来品に比べてコンパクトで、収納性が良く、コストの低減を図ることができ、しかもポンプの自吸性能，流量特性のバランスも良い吸水ポンプを提供することができる。
　なお、上記実施例では、このような効果に加えて、更に、耐湿性を向上させてポンプモータの経年劣化を極力少なくし、ポンプモータの長寿命化を図ると共に、万一のモータの絶縁低下の際の安全性を高めた吸水ポンプを提供することができる。
【図面の簡単な説明】
　【図１】
　本発明洗濯機の一実施例を示す全体的内部構造説明図である。
　【図２】
　図１に符号２５で示すバックパネルを取り除いてその内部構造を示した平面図である。
　【図３】
　図２のＸ−Ｘ線に沿う断面図である。
　【図４】
　風呂水吸水ポンプ２６の内部構造を示す断面図である。
　【図５】
　ケーシングカバーの一部を切欠き、仕切り板を除去して内景を示す図である。
　【図６】
　図５のＹ−Ｙ線に沿う断面図である。
　【符号の説明】
　１…トップカバー、８…洗濯槽（洗濯兼脱水槽）、２５…バックパネル、２６…風呂水吸水ポンプ、４０…ケーシング、４０ａ１，４０ａ２…上，下ボリュート、４０ｂ１，４０ｂ２…分離壁、４０ｃ１，４０ｃ２…戻り水穴、４０ｅ…冷却用通水路、４０ｄ…気泡防止リブ、４０ｆ…水抜き穴、４０ｇ…蒸気抜き穴、４０ｋ…気水分離室、４１…ケーシングカバー、４２…ランナー、４３…モータ、４４…仕切り板、４５…カップリング。